(57)【要約】【課題】コストを低減できる液体加温装置を提供する。【解決手段】液体加温装置１０は、ヒートポンプ部３５及びＲＯ膜１２５を備えている。ヒートポンプ部３５は、原水７１を加温する。ＲＯ膜１２５には、ヒートポンプ部３５によって加温された原水７１に基づく液体である処理水７４が供給される。ＲＯ膜１２５は、処理水７４より不純物の濃度が小さい透析用水７６と、処理水７４より不純物の濃度が大きい濃縮排水７５とを生成する。透析用水７６は、流路１３４を介して透析装置１１に供給される。濃縮排水７５は、流路１３５，１３８を介して、ヒートポンプ部３５に供給される。ヒートポンプ部３５は、濃縮排水７５の熱を利用して、原水７１を加温する。【選択図】図１
2018187040.tif 000002
【特許請求の範囲】
【請求項１】
第一液体を加温するヒートポンプ部と、
前記ヒートポンプ部によって加温された前記第一液体に基づく液体である供給液体が供給され、前記供給液体より不純物の濃度が小さい第二液体と、前記供給液体より不純物の濃度が大きい第三液体とを生成する生成部と、
前記生成部によって生成された前記第二液体を、透析を行う透析装置側に供給する流路である透析用液体流路と、
前記生成部によって生成された前記第三液体を、前記ヒートポンプ部に供給する流路であるヒートポンプ用液体流路と
を備え、
前記ヒートポンプ部は、前記ヒートポンプ用液体流路を介して供給される前記第三液体の熱を利用して、前記第一液体を加温することを特徴とする液体加温装置。
【請求項２】
前記生成部と、前記ヒートポンプ部とは、同じフロアに配置されていることを特徴する請求項１に記載の液体加温装置。
【請求項３】
前記生成部と、前記ヒートポンプ部とは、同じ装置内に設けられていることを特徴とする請求項１又は２に記載の液体加温装置。
【請求項４】
前記ヒートポンプ用液体流路は密閉配管であることを特徴とする請求項１から３のいずれかに記載の液体加温装置。
【請求項５】
前記ヒートポンプ部に接続され、前記ヒートポンプ部による熱交換に利用された前記第三液体を、前記第三液体を利用する他の機器に供給する流路である機器流路を備えたことを特徴とする請求項１から４のいずれかに記載の液体加温装置。
【請求項６】
透析を行う透析装置と、
第一液体を加温するヒートポンプ部と、
前記ヒートポンプ部によって加温された前記第一液体に基づく液体である供給液体が供給され、前記供給液体より不純物の濃度が小さい第二液体と、前記供給液体より不純物の濃度が大きい第三液体とを生成する生成部と、
前記生成部によって生成された前記第二液体を、前記透析装置側に供給する流路である透析用液体流路と、
前記生成部によって生成された前記第三液体を、前記ヒートポンプ部に供給する流路であるヒートポンプ用液体流路と
を備え、
前記ヒートポンプ部は、前記ヒートポンプ用液体流路を介して供給される前記第三液体の熱を利用して、前記第一液体を加温することを特徴とする透析システム。
【発明の詳細な説明】
【技術分野】
【０００１】
本発明は、透析装置に供給する液体を加温する液体加温装置及び透析システムに関する。
【背景技術】
【０００２】
透析装置においては、患者より導出された血液は、半透膜等を介して透析液と対向することで老廃物等が除去された後、当該患者の体内に戻される。ここで、老廃物等の除去後に患者の体内に戻される血液は、当該患者の体温と略等しい温度である必要がある。このため、透析装置の内外において、透析液あるいは供給水の温度を、適宜加温調整する装置が知られている。
【０００３】
例えば、特許文献１に記載の供給水加温装置は、透析装置側に向けて供給される供給水を加温するように、一次側水−冷媒熱交換器と二次側水−冷媒熱交換器とヒートポンプとを備えている。一次側水−冷媒熱交換器は、常温常圧で気体の第一冷媒と透析装置から排出された透析排液との熱交換により、透析排液から熱を回収する。二次側水−冷媒熱交換器は、供給水と常温常圧で気体の第二冷媒との熱交換により、供給水を加温する。ヒートポンプの一次側冷媒−冷媒熱交換器は、一次側冷媒配管を介して一次側水−冷媒熱交換器に接続されている。ヒートポンプの二次側冷媒−冷媒熱交換器は、二次側冷媒配管を介して二次側水−冷媒熱交換器に接続されている。
【０００４】
透析装置は、透析監視装置を備えている。透析液は、透析監視装置にて患者体温と同じ温度まで加温されて透析治療に供された後、透析排液として排出される。透析排液は、排液タンクに一旦集約された後、排液流路に排出される。透析排液は、排液流路を介して
一次側水−熱媒体熱交換器に供給され、熱交換によって熱が回収される。
【先行技術文献】
【特許文献】
【０００５】
【特許文献１】特開２０１４−２０４９４４号公報
【発明の概要】
【発明が解決しようとする課題】
【０００６】
しかしながら、上記従来の供給水加温装置のように、透析排液から熱が回収される場合、排液タンクから透析排液を一次側水−熱媒体熱交換器に送水するためのポンプが必要となる。このため、ポンプを配置するコスト、及びポンプを運転するコストが必要であり、コストが増大する場合がある。
【０００７】
本発明の目的は、コストを低減できる液体加温装置及び透析システムを提供することである。
【課題を解決するための手段】
【０００８】
本発明の第一の態様に係る液体加温装置は、第一液体を加温するヒートポンプ部と、前記ヒートポンプ部によって加温された前記第一液体に基づく液体である供給液体が供給され、前記供給液体より不純物の濃度が小さい第二液体と、前記供給液体より不純物の濃度が大きい第三液体とを生成する生成部と、前記生成部によって生成された前記第二液体を、透析を行う透析装置側に供給する流路である透析用液体流路と、前記生成部によって生成された前記第三液体を、前記ヒートポンプ部に供給する流路であるヒートポンプ用液体流路とを備え、前記ヒートポンプ部は、前記ヒートポンプ用液体流路を介して供給される前記第三液体の熱を利用して、前記第一液体を加温する。
【０００９】
この場合、第二液体が透析装置によって使用された後の透析排液ではなく、第三液体がヒートポンプ部に供給され、第三液体の熱が利用されて、第一液体が加温される。よって、透析排液を貯める回収槽から、ヒートポンプ部に第二液体を供給するためのポンプを設ける必要がない。よって、ポンプを配置するコスト及びポンプを運転するコストを低減できる。故に、供給加温装置のコストが低減される。
【００１０】
前記液体加温装置において、前記生成部と、前記ヒートポンプ部とは、同じフロアに配置されてもよい。この場合、生成部とヒートポンプ部を異なるフロアに配置して、異なるフロアに配置された生成部とヒートポンプ部とを繋ぐ流路を配置する場合に比べて、コストを低減できる。
【００１１】
前記液体加温装置において、前記生成部と、前記ヒートポンプ部とは、同じ装置内に設けられていてもよい。この場合、外装等の部品を共用することができるので、生成部とヒートポンプ部とを別々の装置に設ける場合に比べて、液体加温装置の製造コストを低減できる。
【００１２】
前記液体加温装置において、前記ヒートポンプ用液体流路は密閉配管であってもよい。この場合、ヒートポンプ用液体流路が密閉配管でない場合に比べて、密閉配管内を流れる第三液体が、ヒートポンプ用液体流路内の空気に触れにくい。よって、ヒートポンプ用液体流路内の空気に第三液体が触れる場合に比べて、第三液体の温度が低下し難い。よって、ヒートポンプ部に、より高い温度の第三液体が供給される。よって、ヒートポンプ部の熱交換の効率が向上する。
【００１３】
前記液体加温装置は、前記ヒートポンプ部に接続され、前記ヒートポンプ部による熱交換に利用された前記第三液体を、前記第三液体を利用する他の機器に供給する流路である機器流路を備えもよい。この場合、新たに水道水等が用いられ、他の機器において使用される場合に比べて、水道料金等のコストが低減される。
【００１４】
本発明の第二の態様に係る透析システムは、透析を行う透析装置と、第一液体を加温するヒートポンプ部と、前記ヒートポンプ部によって加温された前記第一液体に基づく液体である供給液体が供給され、前記供給液体より不純物の濃度が小さい第二液体と、前記供給液体より不純物の濃度が大きい第三液体とを生成する生成部と、前記生成部によって生成された前記第二液体を、前記透析装置側に供給する流路である透析用液体流路と、前記生成部によって生成された前記第三液体を、前記ヒートポンプ部に供給する流路であるヒートポンプ用液体流路とを備え、前記ヒートポンプ部は、前記ヒートポンプ用液体流路を介して供給される前記第三液体の熱を利用して、前記第一液体を加温する。
【００１５】
この場合、第二液体が透析装置によって使用された後の透析排液ではなく、第三液体がヒートポンプ部に供給され、第三液体の熱が利用されて、第一液体が加温される。よって、透析排液を貯める回収槽から、ヒートポンプ部に第二液体を供給するためのポンプを設ける必要がない。よって、ポンプを配置するコスト及びポンプを運転するコストを低減できる。故に、供給加温装置のコストが低減される。
【図面の簡単な説明】
【００１６】
【図１】透析システム１の概略構成を示すブロック図である。
【図２】変形例に係る透析システム１００の概略構成を示すブロック図である。
【発明を実施するための形態】
【００１７】
以下、本発明を具現化した透析システム１及び液体加温装置１０について説明する。図１に示すように、透析システム１は、液体加温装置１０、透析装置１１、及び排水利用機器２０を備えている。
【００１８】
透析装置１１は、流路１３４を介して、液体加温装置１０のＲＯ装置１２（後述）に接続されている。本実施形態においては、透析装置１１は、多数の図示しない透析監視装置を備えた多人数用透析装置であって、流路１３４を介してＲＯ装置１２より受け取った透析用水７６を用いて透析液を調製（製造）して各透析監視装置に送出し、各透析監視装置にて透析液を温度調整して透析治療を行うように構成されている。
【００１９】
液体加温装置１０は、ＲＯ装置１２及びヒートポンプ部３５を備えている。なお、ＲＯとは、Ｒｅｖｅｒｓｅ  Ｏｓｍｏｓｉｓ（逆浸透）の略である。ＲＯ装置１２とヒートポンプ部３５とは、液体加温装置１０が配置されている建物において同じフロア（階）に配置されている。
【００２０】
ヒートポンプ部３５は、流路１３５，１３８（後述）を介して供給される濃縮排水７５（後述）の熱を利用して、原水７１を加温するように構成されている。
【００２１】
より詳細には、ヒートポンプ部３５は、一次側冷媒−冷媒熱交換器３５１と、二次側冷媒−冷媒熱交換器３５２と、圧縮機３５３と、膨張弁３５４と、中間冷媒配管３５５とを備えている。中間冷媒配管３５５は、冷媒３５６が通流する循環配管である。一次側冷媒−冷媒熱交換器３５１は、流路１３８と流路１４０とに接続されている。一次側冷媒−冷媒熱交換器３５１は、流路１３８から供給される濃縮排水７５（後述）と、中間冷媒配管３５５を流れる冷媒３５６との間で熱交換を行う。これによって、濃縮排水７５から熱が回収される。熱交換が行われた後の濃縮排水７５は、流路１４０に流出する。流路１４０は、排水利用機器２０に接続されている。排水利用機器２０は、濃縮排水７５を利用する装置であり、例えば、トイレ、洗濯機、風呂、及び蛇口等である。濃縮排水７５は、排水利用機器２０に供給された後、例えば、トイレの洗浄水、風呂のお湯、植物への水まき、打ち水、掃除用の水、及び種々の雑用水として使用される。
【００２２】
二次側冷媒−冷媒熱交換器３５２は、流路１６と流路１７とに接続されている。二次側冷媒−冷媒熱交換器３５２は、中間冷媒配管３５５を介して、一次側冷媒−冷媒熱交換器３５１に接続されている。二次側冷媒−冷媒熱交換器３５２は、流路１６を介して供給される原水７１と、冷媒３５６との間で熱交換を行い、原水７１を加温する。原水７１は、例えば、水道水である。
【００２３】
圧縮機３５３及び膨張弁３５４は、中間冷媒配管３５５に介装されている。圧縮機３５３は、一次側冷媒−冷媒熱交換器３５１を経て気化（蒸発）した冷媒３５６を圧縮して二次側冷媒−冷媒熱交換器３５２に向けて送出するように設けられている。膨張弁３５４は、二次側冷媒−冷媒熱交換器３５２を経て凝縮された冷媒３５６を膨張させるように設けられている。冷媒３５６は、常温常圧で気体の冷媒であって、例えば、Ｒ１３４ａである。
【００２４】
ＲＯ装置１２は、流路１７を介して、ヒートポンプ部３５に接続されている。ＲＯ装置１２は、流路１７を介して供給された原水７１に対して、各種の水処理（例えば、ろ過、イオン交換、逆浸透処理等）を行うことで、透析用水７６を精製するように構成されている。また、ＲＯ装置１２は、所定温度（例えば２５〜３０℃）に温度調整した透析用水７６を透析装置１１に供給する。ＲＯ装置１２は、透析用水７６の通流方向において透析装置１１の上流側に配置されている。
【００２５】
ＲＯ装置１２は、軟水器１２１、活性炭部１２２、加温器１２３、ポンプ１２４、及びＲＯ膜１２５を備えている。流路１７は、軟水器１２１に接続されている。活性炭部１２２は、流路１３１を介して、軟水器１２１に接続されている。加温器１２３は、流路１３２を介して、活性炭部１２２に接続されている。ＲＯ膜１２５は、流路１３３を介して、加温器１２３に接続されている。流路１３３には、ポンプ１２４が設けられている。
【００２６】
ＲＯ膜１２５から、流路１３４と流路１３５とが延びる。流路１３４は、透析装置１１に接続されている。流路１３４は、ＲＯ膜１２５によって生成される透析用水７６を、透析装置１１側に供給する流路である。流路１３５は、分岐点１３６において、流路１３７と流路１３８とに分岐する。流路１３７は、合流点１３９において、流路１３３に接続されている。合流点１３９は、ポンプ１２４よりも加温器１２３側である。流路１３８は、ヒートポンプ部３５の一次側冷媒−冷媒熱交換器３５１に接続されている。流路１３５，１３８は、ＲＯ膜１２５によって生成される濃縮排水７５（後述）をヒートポンプ部３５に供給する流路である。
【００２７】
また、少なくとも流路１３５，１３８（すなわち、ＲＯ膜１２５からヒートポンプ部３５に濃縮排水７５を供給する流路）は、密閉配管である。本実施形態では、一例として、流路１６，１７,１３１，１３２，１３３，１３４，１３５，１３７，１３８は、全て、密閉配管であるとする。密閉配管とは、配管内が液体で満たされ、液体が空気に触れる可能性の低い配管である。密閉配管内では、圧力が付与された液体が流れる。
【００２８】
軟水器１２１は、原水７１の硬化成分（例えば、マグネシウム、カルシウム等）を低減させ、処理水７２を生成する。処理水７２は軟水である。活性炭部１２２は、軟水器１２１を通過した後の処理水７２の不純物を低減させ、処理水７３を生成する。加温器１２３は、図示しないタンクと電気ヒータとを備えている。加温器１２３は、タンクに貯留した処理水７３を、電気ヒータによって加温する。ポンプ１２４は、処理水７３を、加温器１２３から流出させる。処理水７３は、合流点１３９において、流路１３７から流入する濃縮排水７５と合流する。処理水７３と濃縮排水７５とが合流した後の液体を、処理水７４という。処理水７４は、ＲＯ膜１２５に供給される。すなわち、ヒートポンプ部３５によって加温された原水７１に基づく処理水７４が、ＲＯ膜１２５に供給される。ＲＯ膜１２５は、ＲＯ膜１２５に供給された処理水７４に対して逆浸透処理を行い、処理水７４より不純物の濃度が小さい透析用水７６と、処理水７４より不純物の濃度が大きい濃縮排水７５とを生成する。
【００２９】
図１を参照し、透析システム１の動作について説明する。流路１６を流れる原水７１の温度は、一例として１７℃であるとする。原水７１は、流路１６を流れ、ヒートポンプ部３５の二次側冷媒−冷媒熱交換器３５２に供給される。ヒートポンプ部３５は、熱交換によって、原水７１を加温する。これによって、原水７１が、例えば、２５℃に温められる。
【００３０】
加温された原水７１は、流路１７を介して、ＲＯ装置１２の軟水器１２１に供給される。軟水器１２１は、処理水７２を生成する。処理水７２は、流路１３１を介して、活性炭部１２２に供給される。活性炭部１２２は、処理水７３を生成する。
【００３１】
処理水７３は、流路１３２を介して加温器１２３に供給される。加温器１２３は、処理水７３を加温する。これによって、処理水７３が、例えば、２５℃〜３０℃に温められる。
【００３２】
処理水７３は、ポンプ１２６の吸引力によって加温器１２３から流路１３３に流出する。合流点１３９において、処理水７３と後述する濃縮排水７５とが合流し、処理水７４となる。処理水７４は、流路１３３を介して、ＲＯ膜１２５に供給される。
【００３３】
ＲＯ膜１２５は、処理水７４に対して逆浸透処理を行い、透析用水７６と濃縮排水７５とを生成する。なお、ＲＯ膜１２５の透過水量は水温が下がるほど減少する。このため、ヒートポンプ部３５及び加温器１２３によって加温された後の液体を含む処理水７４が、ＲＯ膜１２５に供給されることで、ＲＯ膜１２５の負荷が良好に低減される。
【００３４】
透析用水７６は、流路１３４を介して、透析装置１１に供給される。透析装置１１においては、供給された透析用水７６と透析液の原液とを混合することで透析液が調製され、調製された透析液が上述の各透析監視装置に送られる。そして、透析液は、各透析監視装置において、例えば電気ヒータによって患者体温と略同じ温度にまで加温されて透析治療に使用される。透析治療に使用された透析液は、各透析監視装置から、流路１４１を介して、透析排液７８として排出される。なお、透析排液７８は、流路１４１を介して図示しない回収槽に一旦集約された後、図示しない排液流路から排出されてもよい。
【００３５】
流路１３５を流れる濃縮排水７５は、分岐点１３６において、流路１３７と流路１３８とに分流される。例えば、ＲＯ膜１２５に供給される処理水７４の量が１４０リットルである場合、透析用水７６が７０リットル生成され、濃縮排水７５が７０リットル生成される。流路１３５を流れる濃縮排水７５のうち、３５リットルが流路１３７に流れ、残りの３５リットルが流路１３８に流れる。流路１３７を流れる濃縮排水７５は、合流点１３９において、処理水７３と合流する。
【００３６】
流路１３８を流れる濃縮排水７５は、ヒートポンプ部３５の一次側冷媒−冷媒熱交換器３５１に供給される。ヒートポンプ部３５は、濃縮排水７５から熱を回収する。ヒートポンプ部３５は、濃縮排水７５から回収した熱が利用して、原水７１を加温する。濃縮排水７５は、流路１４０を介してヒートポンプ部３５から排出され、排水利用機器２０に供給される。排水利用機器２０は濃縮排水７５を利用する。
【００３７】
濃縮排水７５は、軟水器１２１において硬化成分が低減され、活性炭部１２２において不純物が低減された液体が使用されたものである。このため、濃縮排水７５は、原水７１よりも、硬化成分が少なく、且つ、不純物が少ない。また、濃縮排水７５には、透析排液７８が混合されない。このため、水道水である原水７１よりも清潔な液体である。よって、濃縮排水７５は、排水利用機器２０においても清潔な液体として使用することができる。
【００３８】
以上のように、本実施形態における液体加温装置１０及び透析システム１が構成される。本実施形態では、透析用水７６が透析装置１１によって使用された後の透析排液７８ではなく、ＲＯ膜１２５によって生成される濃縮排水７５がヒートポンプ部３５に供給され、濃縮排水７５の熱が利用されて、原水７１が加温される。よって、透析排液７８を貯める回収槽から、ヒートポンプ部３５に透析排液７８を供給するためのポンプを設ける必要がない。よって、ポンプを配置するコスト及びポンプを運転するコストを低減できる。故に、透析システム１及び液体加温装置１０のコストを低減できる。
【００３９】
また、透析排液７８がヒートポンプ部３５に供給されないので、透析排液７８を貯める回収槽を設けなくてもよい。この場合、回収槽を配置するコストも低減できる。よって、透析システム１及び液体加温装置１０のコストを低減できる。
【００４０】
なお、一般的に、透析排液７８を回収する回収槽は、透析システム１において最も下側（すなわち、重力方向側）に配置される。例えば、従来では、ＲＯ装置と透析装置が病院の建物の２階以上の階に配置され、回収槽は屋外の地面の上に配置されることもある。このため、透析排液をヒートポンプ部に供給して熱を回収する構成にする場合、ヒートポンプ部も透析システムにおける下側に配置され、回収槽の近くに配置されていた。もしくは、ヒートポンプ部はＲＯ装置の近くに配置して、回収槽からポンプで透析排液をヒートポンプ部まで引き上げていた。
【００４１】
ヒートポンプ部が透析システムにおける下側に配置され、回収槽の近くに配置される場合、ヒートポンプ部からＲＯ装置又は解析装置側に原水を引き上げるために、流路及びポンプが必要となる。よって、流路が長くなることによる流路のコスト、及び設置のための工事コストが高くなり、また、ポンプを配置及び運転するコストも必要となる。また、ヒートポンプ部はＲＯ装置の近くに配置して、回収槽からポンプで透析排液をヒートポンプ部まで引き上げる場合も、流路が長くなることによる流路のコスト、及び設置のための工事コストが高くなり、ポンプを配置及び運転するコストも必要となる。
【００４２】
本実施形態では、濃縮排水７５の熱をヒートポンプ部３５で利用する構成にし、透析排液７８をヒートポンプ部３５に供給しない。このため、透析排液７８をヒートポンプ部３５に供給する流路は必要なく、また、ヒートポンプ部３５をＲＯ装置１２の近くに配置することもできる。よって、液体加温装置１０及び透析システム１がコンパクトになり、流路が長くなることによる流路のコスト、及び設置のための工事コストを低減でき、さらに、ポンプを増やして配置するコスト及び運転するコストも低減できる。
【００４３】
また、本実施形態では、ＲＯ装置１２と、ヒートポンプ部３５とが、同じフロアに配置されている。このため、ＲＯ膜１２５と、ヒートポンプ部３５とが、同じフロアに配置されている。ＲＯ膜１２５とヒートポンプ部３５とが同じフロアに配置されているので、例えば、ＲＯ膜１２５とヒートポンプ部３５とを異なるフロアに配置して、異なるフロアに配置されたＲＯ膜１２５とヒートポンプ部３５とを繋ぐ流路を配置する場合に比べて、液体加温装置１０及び透析システム１のコストを低減できる。
【００４４】
また、流路１３５，１３８は、密閉配管である。この場合、流路１３５，１３８が密閉配管でない場合に比べて、密閉配管内を流れる濃縮排水７５が、流路１３５，１３８内の空気に触れにくい。よって、流路１３５，１３８内の空気に濃縮排水７５が触れる場合に比べて、濃縮排水７５の温度が低下し難い。よって、ヒートポンプ部３５に、より高い温度の濃縮排水７５が供給される。よって、ヒートポンプ部３５の熱交換の効率が向上する。よって、液体加温装置１０及び透析システム１を運転するコストを低減できる。
【００４５】
また、密閉配管内を通過する濃縮排水７５には、圧力が付与されており、流路１３５，１３８にポンプを設けて該ポンプによってヒートポンプ部３５まで濃縮排水７５を送水する必要がない。よって、ポンプを設ける場合に比べて、液体加温装置１０及び透析システム１のコストを低減することができる。
【００４６】
また、流路１４０は、ヒートポンプ部３５による熱交換に利用された濃縮排水７５を、濃縮排水７５を利用する排水利用機器２０に供給する。このため、排水利用機器２０が、濃縮排水７５を利用せず、新たに水道水等が用いられる場合に比べて、水道料金等のコストが低減される。
【００４７】
上記実施形態において、原水７１は本発明の「第一液体」の一例である。処理水７４は、本発明の「供給液体」の一例である。透析用水７６は本発明の「第二液体」の一例である。濃縮排水７５は本発明の「第三液体」の一例である。ＲＯ膜１２５は本発明の「生成部」の一例である。流路１３４は、本発明の「透析用液体流路」の一例である。流路１３５，１３８は、本発明の「ヒートポンプ用液体流路」の一例である。排水利用機器２０は本発明の「他の機器」の一例である。流路１４０は、本発明の「機器流路」の一例である。
【００４８】
なお、本発明は上記の実施形態に限定されるものではなく、種々の変更が可能である。例えば、流路１３５，１３８にポンプを配置してもよい。また、流路１３５，１３８が密閉配管であったが、密閉配管でなくてもよい。また、ヒートポンプ部３５とＲＯ膜１２５とが、同じフロアに配置されていたが、異なるフロアに配置されてもよい。
【００４９】
また、流路１４０が排水利用機器２０に接続され、排水利用機器２０によって濃縮排水７５が利用されていたが、濃縮排水７５が排水利用機器２０に供給されなくてもよい。また、原水７１は、水道水であったが、他の液体であってもよい。
【００５０】
また、加温器１２３は常時運転されなくてもよい。例えば、透析システム１の運転が開始されたときに、加温器１２３が運転され、ヒートポンプ部３５によって加温される原水７１の温度が安定したら、加温器１２３が停止されてもよい。
【００５１】
また、透析システム１に、バッファとして機能するタンクを、適宜設けてもよい。該タンクは、例えば、流路に詰まりが発生した場合等、透析システム１に何らかの障害が生じた場合に、透析システム１を流れる液体７１〜７６，７８を貯留したり、流路を変更したりする。これによって、例えば、透析システム１が故障して停止することを防止することができる。また、例えば、透析システム１を再度起動する場合に、より早く液体７１〜７６，７８を設定温度に調温することができる。タンクは、例えば、流路１６と流路１７とに設けられてもよい。また、タンクは、例えば、流路１３８と流路１４０とに設けられてもよい。その他、透析システム１の任意の位置に、タンクを配置してもよい。また、タンクを設置するに場合に、適宜ポンプを配置してもよい。
【００５２】
また、ヒートポンプ部３５において、原水７１が加温されるので、加温器１２３が設けられなくてもよい。
【００５３】
例えば、図２に示す変形例に係る透析システム１００のように、ヒートポンプ部３５とＲＯ膜１２５とが、同じ装置内に設けられてもよい。なお、図２においては、図１に示す構成に対応する構成は同じ符号で示し、詳細の説明は省略する。図２においては、ヒートポンプ部３５とＲＯ装置１２とが、１つの装置である液体加温装置１０１の外装（筐体）内に配置されている。このため、ヒートポンプ部３５とＲＯ膜１２５とが、同じ装置１０１内に設けられている。この場合、外装等の部品を共用することができるので、ヒートポンプ部３５とＲＯ膜１２５とを別々の装置に設ける場合に比べて、コストを低減できる。
【符号の説明】
【００５４】
１，１００    透析システム
１０，１０１    液体加温装置
１１    透析装置
ＲＯ１２    装置
１６，１７    流路
２０    排水利用機器
３５    ヒートポンプ部
７１    原水
７２，７３，７４    処理水
７５    濃縮排水
７６    透析用水
７８    透析排液
１２５    ＲＯ膜
１３１，１３２，１３３，１３４，１３５，１３７，１３８，１４０，１４１    流路
【図１】
2018187040.tif 000003
【図２】
2018187040.tif 000004